(57)【特許請求の範囲】
【請求項１】
ほぼ中央部に竪向き受孔（３）がある複数個のブロック（１ａ）（１ｂ）を積み重ねるようにするほか、ブロック（１ａ）と（１ｂ）との対接面部に嵌合凸部（２ａ）と嵌合凹部（２ｂ）とからなる回転可能な嵌合構造（２）を設け、受孔（３）にポール（Ｐ）を挿入して立て掛け設置するようにした型式のポール用支持台であって、前記受孔（３）を嵌合構造（２）における嵌合軸心（Ｃ）から偏心距離（Ｅ）を隔てた受孔軸心（ｃ）のもとに形成し、下部のブロック（１ａ）に対する上部のブロック（１ｂ）の旋回位置により、ブロック（１ａ）（１ｂ）の各受孔軸心（ｃ）間の距離を０から偏心距離（Ｅ）の２倍の範囲に離隔した状態に積み重ねることができるように構成し、各受孔軸心（ｃ）が一致して各受孔軸心（ｃ）間の距離が０の状態において大径のポール（Ｐ）の立て掛け支持に適応させると共に、積み重ね位置の変化により各受孔軸心（ｃ）がずれて離隔した状態のもとに、小径のポール（Ｐ）をがた付くことなく立て掛け設置することができるようにしたことを特徴とするポール用支持台。
【請求項２】
受孔（３）を円形状に形成した請求項１に記載のポール用支持台。
【請求項３】
受孔（３）を多角形に形成した請求項１に記載のポール用支持台。
【発明の詳細な説明】
【０００１】
【発明の属する技術分野】
本発明は、幟，旗等の設置に適するポール用支持台に関するものであって、詳しくは幟竿あるいは旗竿等のポールの基部を挿入して立て掛けるためのブロック状の支持台に関するものである。
【０００２】
【従来の技術】
幟あるいは旗を設置する場合、幟竿あるいは旗竿等（以下単にポールという）の下端寄りの基部の挿入に適応する受孔を設けた台形のコンクリートブロックを据え置いて、その受孔にポールの基部を挿入した状態のもとに幟あるいは旗を立て掛け設置するようにし、かつポールに対して受孔が大径であって、がた付く場合には、間隙にくさびを打ち込むようにしている。
【０００３】
【発明が解決しようとする課題】
ポールの径は大小様々であって、支持台に穿設する受孔の径は大径のポールに適応するように製作するのが普通であるが、小径のポール専用の支持台を製作する場合には、成形用型，成形作業，保管，運搬等、種々の面でコスト高となるばかりでなく、需要者においても複数種の支持台を保有して使い分けをする必要がある等、不利，不便がある。
【０００４】
そこで本発明の目的は、簡単な構成のもとに、複数個のブロックを積み重ねて構成するポール用支持台において、種々の径のポールをがた付きがない状態のもとに支持することができる支持台を提供することにある。
【０００５】
【課題を解決するための手段】
本発明は上記目的を達成するため、ほぼ中央部にポールを挿入する竪向き受孔がある複数個のブロックを回転可能な嵌合構造のもとに積み重ねるようにした型式のポール用支持台において、前記受孔を嵌合構造における嵌合軸心から偏心した受孔軸心のもとに形成し、下部のブロックに対する上部のブロックの旋回位置により、ブロックの各受孔軸心間の距離を０から偏心距離の２倍の範囲に離隔した状態に積み重ねることができるように構成し、各受孔軸心間の距離が０の状態において大径のポールの立て掛け支持に適応させると共に、各受孔軸心がずれて離隔した状態のもとに、小径のポールをがた付くことなく立て掛け設置することができるようにしたことを主要部とするものである。
【０００６】
積み重ねた複数のブロックにおける受孔軸心が互いに一致している場合は、複数ブロックの受孔同士も一致して最大径の受孔が形成され、受孔軸心が互いに離隔してずれている場合は複数ブロックの受孔が階段状に対接して受孔の実効的孔径が変化して形成され、受孔軸心のずれが適度な中間位置であれば、実効的孔径が所望の寸法に調節される。
【０００７】
【発明の実施の形態】
以下、本発明を図面に示す実施形態について詳細に説明する。
【０００８】
本発明の適用対象としての支持台としては、例えば図１および図２のように、外形が大体においてほぼ円錐台形の大小２個のブロック１ａ，１ｂをその大型のブロック１ａの上部に小型のブロック１ｂを積み重ねることができるようにするほか、両ブロック１ａと１ｂとの対接面部に凸凹関係の嵌合構造２を形成するのであって、図示の実施形態においては、大型のブロック１ａの上面に円形状の嵌合凸部２ａを形成すると共に、小型のブロック１ｂの下面には前記嵌合凸部２ａに対応する円形状の嵌合凹部２ｂを形成し、これら嵌合凸部２ａと嵌合凹部２ｂとにより回転可能な嵌合構造２を構成し、かつ両ブロック１ａと１ｂとのほぼ中央部にポールＰの受け入れに適応する竪方向の受孔３を穿設した型式を採択するのが適当である。
【０００９】
上記型式に対する本発明の特殊構成としては、例えば図１および図２のように、両ブロック１ａ，１ｂの受孔３を前記嵌合凸部２ａ，嵌合凹部２ｂの嵌合軸心Ｃから適度の偏心距離Ｅ（例えば３ｍｍ）を隔てた受孔軸心ｃのもとに形成し、これにより両ブロック１ａ，１ｂの各受孔軸心ｃが一致する状態に積み重ねた場合、図２のように最大径のポールＰの挿入に適応するようにし、また両ブロック１ａ，１ｂの各受孔軸心ｃが互いに反対方向へ離隔して受孔軸心ｃ間が偏心距離Ｅの２倍である２Ｅのもとに積み重ねた場合、図１のように最小径のポールＰの使用に適応するようにし、なお両ブロック１ａ，１ｂの各受孔軸心ｃの離隔程度を適度に選定（小型のブロック１ｂを適度に旋回させる）して積み重ねることにより、中間径のポールＰの使用に適応することができる。
【００１０】
図３のような大径のポールＰの使用状態から、図１のように、上部のブロック１ｂを旋回させて受孔軸心ｃを互いに離隔し、小径のポールＰの使用に適応する状態にすると、両受孔３は階段状に形成され、両受孔３の内周面中の嵌合軸心Ｃに近い内面は、互いに接近してポールＰの両側面に対接し、小径のポールＰをがた付きなく支持することができる。
【００１１】
両ブロック１ａ，１ｂの底面には手掛け用の溝４を直径方向に形成するのが運搬並びに取り扱いの上で便利であり、なお受孔３の径がポールＰの径にほぼ一致する場合には、両ブロック１ａ，１ｂを積み重ねることなく、単一で使用することもできるのである。
【００１２】
前記受孔３の形状は円形に限らず、三角形，四角形，五角形，六角形等の多角形、あるいはそれに近い異形等、他の形状であってもよく、円形の場合に比較して支持接触部が増加して安定的に支承することができ、また両ブロック１ａ，１ｂの外形についても、円形に限らず他の形状を採択することができること当然である。
【００１３】
図示の実施形態においては、二段重ねに積み重ねて使用する場合を示しているが、それ以上の三段重ねであってもよいこと当然であり、その他前記ブロック１ａ，１ｂの材質としては、コンクリートが最適であるが、レジンコンクリート，金属，その他の複合構造等、種々の材料，構成を採択することができるのであって、重量が大で耐候性があればよいのである。
【００１４】
本発明は、その用途として、幟竿，旗竿以外に一時的に設置する柵用支柱，看板用支柱，物干し用支柱等、その他これに類するポールの支持台として使用することができるのである。
【００１５】
【発明の効果】
以上説明したように本発明によれば、次のような効果がある。
【００１６】
ほぼ中央部にポールＰを挿入する竪向き受孔３がある複数個のブロックを回転ができる嵌合構造２のもとに積み重ねるようにした型式のポール用支持台において、前記ブロックにおける受孔３を嵌合構造２における嵌合軸心Ｃから偏心した受孔軸心ｃのもとに形成したから、簡単な構成のもとに、下部のブロック１ａに対する上部のブロック１ｂの旋回位置により、上下ブロックをその各受孔軸心ｃが一致した状態に積み重ねて大径のポールＰの立て掛け支持に適応させると共に、各受孔軸心ｃがずれて離隔した状態のもとに、小径のポールＰをがた付くことなく固定的に立て掛け設置することができる。
【００１７】
受孔の形状を多角形に形成すると、円形の場合に比較して受孔とポールとの接触部が増加してポールを安定的に支承することができる。
【図面の簡単な説明】
【図１】  小径のポールの支承状態を示すポール用支持台の縦断側面図である。
【図２】  大径のポールの支承状態を示すポール用支持台の縦断側面図である。
【図３】  ポール用支持台の斜面図である。
【符号の説明】
１ａ  ブロック
１ｂ  ブロック
２    嵌合構造
２ａ  嵌合凸部
２ｂ  嵌合凹部
３    受孔
Ｃ    嵌合軸心
ｃ    受孔軸心
Ｐ    ポール
Ｅ    偏心距離
【図１】
0004032371.tif 000002
【図２】
0004032371.tif 000003
【図３】
0004032371.tif 000004